(57)【特許請求の範囲】
【請求項１】
前枠(2) に設けられた遊技盤(12)と、発射された遊技球を前記遊技盤(12)側に向けて案内する発射レール(17)と、該発射レール(17)により前記遊技盤(12)側に案内された遊技球を前記遊技盤(12)の遊技領域(20)の上部側に案内する外レール(21)と、該外レール(21)に案内されて前記遊技領域(20)内に入った遊技球を前記遊技領域(20)の下部側へと案内する内レール(22)と、前記前枠(2) の前側に開閉自在に装着された開閉部材(4)(5)とを備えた弾球遊技機において、前記遊技盤(12)の表面に面一状に装着され且つ前記遊技領域(20)の最下部に配置されるアウト口(30)が設けられた金属製薄板よりなるアウト口手段(31)を備え、該アウト口手段(31)により前記外レール(21)と前記内レール(22)とを導通させると共に、前記外レール(21)と前記内レール(22)との一方を、導通手段(93)(101)(110)を介して前記開閉部材(4)(5)に導通させたことを特徴とする弾球遊技機。
【請求項２】
前記外レール(21)と前記内レール(22)との一方に前記発射レール(17)を導通させたことを特徴とする請求項１に記載の弾球遊技機。
【請求項３】
前記開閉部材(4)(5)にグランド線を接続したことを特徴とする請求項１又は２に記載の弾球遊技機。
【請求項４】
前記導通手段(93)(110) は、前記開閉部材(4)(5)側に設けられると共に、前記開閉部材(4)(5)を閉じたときに前記外レール(21)と前記内レール(22)との一方と導通するものであることを特徴とする請求項１〜３の何れかに記載の弾球遊技機。
【請求項５】
前記導通手段(101) は、前記外レール(21)と前記内レール(22)との一方に設けられると共に、前記開閉部材(4)(5)を閉じたときに前記開閉部材(4)(5)と導通するものであることを特徴とする請求項１〜３の何れかに記載の弾球遊技機。
【請求項６】
前記導通手段(93)(101)(110)を、前記外レール(21)と前記内レール(22)との一方に対して、遊技球の転動部分を避けて接続したことを特徴とする請求項１〜５の何れかに記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機、アレンジボール機などの弾球遊技機では、ＣＰＵ、ＲＯＭ、ＲＡＭその他の電子部品が装着された制御基板により制御を行う電子制御方式を採用しており、例えば機能別に設けられた主制御基板、払い出し制御基板、発射制御基板等によって遊技動作、払い出し動作、発射動作等をそれぞれ制御するようになっている。
【０００３】
【発明が解決しようとする課題】
このような制御基板は、電磁波等のノイズに非常に敏感であり、このようなノイズが制御基板に飛来すると、制御素子が誤動作を起こして遊技動作や払い出し動作等が正常に行われなくなる場合がある。
【０００４】
ところで、遊技機の制御基板の動作に悪影響を与えるノイズの発生源としては、遊技機外部で発生する例えば携帯電話からの電磁波なども考えられるが、遊技機の内部の遊技球が最も主要な発生源であると考えられる。即ち、遊技機内では多数の遊技球が、互いに擦れ合ったり、或いは通路内の例えば樹脂製の壁面等に擦れながら流動を繰り返しており、遊技球は常に帯電しやすい状況にあり、このような状況で高い電荷を帯びた遊技球から発生したノイズが、制御基板に悪影響を与えるものと考えられる。
【０００５】
本発明は、このような問題点に鑑み、遊技球に生じた電荷を効率よく逃がし、制御基板へ悪影響を与えるノイズの発生を抑制できる弾球遊技機を提供することを目的とする。
【０００６】
【課題を解決するための手段】
本発明は、前枠２に設けられた遊技盤１２と、発射された遊技球を前記遊技盤１２側に向けて案内する発射レール１７と、該発射レール１７により前記遊技盤１２側に案内された遊技球を前記遊技盤１２の遊技領域２０の上部側に案内する外レール２１と、該外レール２１に案内されて前記遊技領域２０内に入った遊技球を前記遊技領域２０の下部側へと案内する内レール２２と、前記前枠２の前側に開閉自在に装着された開閉部材４，５とを備えた弾球遊技機において、前記遊技盤１２の表面に面一状に装着され且つ前記遊技領域２０の最下部に配置されるアウト口３０が設けられた金属製薄板よりなるアウト口手段３１を備え、該アウト口手段３１により前記外レール２１と前記内レール２２とを導通させると共に、前記外レール２１と前記内レール２２との一方を、導通手段９３，１０１，１１０を介して前記開閉部材４，５に導通させたものである。
【０００７】
【発明の実施の形態】
以下、本発明の実施形態を図面に基づいて詳述する。図１〜図８は本発明をパチンコ機として具現化した第１の実施形態を例示している。１は外枠、２は前枠で、外枠１の前側に上下一対のヒンジ３，３を介して開閉自在に枢着されている。４はガラス扉、５は前面開閉扉（開閉部材の一例）で、これらは前枠２の窓孔６に対応して上下に配置され、前枠２に開閉自在に枢支されている。７は発射用の遊技球を貯留する上皿で、前面開閉扉５の前側に装着され、上皿カバー８により覆われている。また、９は余剰球等を貯留する下皿、１０は灰皿で、これらは前面開閉扉５の下側で前枠２の前側に左右に配置され、下皿カバー１１により覆われている。１２は遊技盤で、前枠２の窓孔６に対応するように、前枠２の裏側の遊技盤装着枠１３に裏側から着脱自在に装着され、窓孔６の下部側で前枠２の裏側に装着された支持板１４により下側から支持されている。
【０００８】
１５は発射手段で、下皿９の一側で前枠２の前側に装着された発射ハンドル１６と、支持板１４の前側に装着された発射レール１７と、前枠２の裏側に配置された発射モータ１８及び打撃槌１９等を備え、発射ハンドル１６を操作したときに、発射モータ１８により打撃槌１９が作動して、前面開閉扉５の裏側に装着された図外の球送り手段により発射レール１７上に１個ずつ供給される遊技球を遊技盤１２側に発射させるようになっている。
【０００９】
遊技盤１２には、図２に示すように、発射手段１５により発射された遊技球を遊技領域２０の上部側に案内する外レール２１と、この外レール２１に案内されて遊技領域２０内に入った遊技球を遊技領域２０の下部側へと案内する内レール２２とが環状に装着されると共に、遊技領域２０内には、液晶表示手段２３、特別図柄始動手段２４、大入賞手段２５、普通図柄始動手段２６、普通入賞手段２７等の各種遊技部品が配置されている。液晶表示手段２３は、特別図柄表示手段２８を構成するもので、その上部に普通図柄表示手段２９が設けられている。また、遊技盤１２の下部には、遊技領域２０の最下部に配置されるアウト口３０を備えたアウト口手段３１が設けられている。外レール２１及び内レール２２は金属製の薄板により形成されており、図外の固定釘により遊技盤１２の前面側に略垂直に立設されている。
【００１０】
アウト口手段３１は、金属製の薄板で形成され、図５及び図６に示すように、遊技領域２０の下部中央から遊技盤１２の下端部にわたって遊技盤１２の表面に例えば面一状に装着されている。このアウト口手段３１には、遊技領域２０の最下部中央位置に、開口状のアウト口３０が左右方向の長孔状に形成されており、その後側の遊技盤１２に前後方向に形成されたアウト球案内路３０ａに連通している。
【００１１】
アウト口手段３１の前側には、外レール２１及び内レール２２の一部分がそれぞれ配置されており、アウト口手段３１と外レール２１、アウト口手段３１と内レール２２とはそれぞれ互いに固着されて導通した状態となっている。内レール２２は、その最下部がアウト口３０の前側を通過するように配設され、その部分にはアウト口３０の下部形状に沿って後下がり状に形成された凹部２２ａが形成されており、遊技領域２０の最下部まで落下した遊技球をアウト口３０側に案内するようになっている。
【００１２】
遊技盤１２の裏側には、図３に示すように、その液晶表示手段２３等の遊技部品を裏側から覆う裏カバー３２が装着されている。裏カバー３２の裏側には、主制御基板３３を収納する主基板ケース３４と、ランプ表示制御基板３５を収納するランプ表示基板ケース３６と、音声制御基板３７を収納する音声基板ケース３８とが着脱自在に装着されている。
【００１３】
遊技盤装着枠１３は門形状であって、前枠２の窓孔６に沿って前枠２の裏側に固定され、この遊技盤装着枠１３の下端部間に、前面開閉扉５の裏側に対応するように支持板１４が前枠２の裏側に固定されている。遊技盤装着枠１３には、遊技盤１２を裏側から押圧して固定するように、裏機構板４１が上下一対のヒンジ４２，４２により開閉自在に枢着され、４個の締結具４３により遊技盤装着枠１３に締結されている。
【００１４】
裏機構板４１には、図３に示すように、その中央部に裏カバー３２が嵌合する開口部４４が形成され、この開口部４４の上側に遊技球タンク４５とタンクレール４６が、左右一側に払い出し手段４７が、下側に通路ユニット４８と設置部４９とが夫々設けられており、遊技球が大入賞手段２５等に入賞したとき、或いは図外の自動球貸し機から球貸し指令があったときに、遊技球タンク４５内の遊技球をタンクレール４６を経て払い出し手段４７により払い出し、その遊技球を通路ユニット４８を経て上皿７等に案内するようになっている。
【００１５】
設置部４９には、払い出し制御基板５０を収納する払い出し基板ケース５１と、電源基板５２を収納する電源基板ケース５３とが裏側から着脱自在に取り付けられている。なお、大入賞手段２５等に入賞して遊技盤１２の裏側に案内された遊技球は、裏カバー３２の下部で集められ、裏機構板４１側の回収通路を経て島側に排出されるようになっている。
【００１６】
支持板１４は合成樹脂製であって、図２に示すように、遊技盤１２を下側から支持する遊技盤支持部６１、この遊技盤支持部６１の前縁側から上方に突設して設けられた左右一対の起立板部６２、払い出し手段４７から払い出された遊技球を上皿７側に案内する案内通路６３、ファール球を下皿９側に案内するファール球回収通路６４、前面開閉扉５を開いたときに案内通路６３から零れた遊技球を下皿９側に案内する零れ球回収通路６５、裏側からスピーカが装着されるスピーカ装着部６６等が一体に形成されている。
【００１７】
また、支持板１４の前側には、発射レール装着板６７を介して発射レール１７が着脱自在に装着されている。発射レール１７は断面略Ｍ型に折り曲げて成形された板金製であって、平面状の金属板で形成された発射レール装着板６７の前側に、外レール２１側の後端部が高くなるように傾斜した状態で例えばネジ止め等により固定されており、発射レール１７と発射レール装着板６７とは互いに導通した状態となっている。
【００１８】
また、発射レール装着板６７は、その上端部６７ａを左右の起立板部６２，６２の間で遊技盤支持部６１の前縁側から上側に突出させた状態で、支持板１４の前側に例えばネジ止め等により着脱自在に固定されている。これにより、遊技盤１２を遊技盤装着枠１３に装着したとき、遊技盤１２のアウト口手段３１の前面側が発射レール装着板６７の上端部６７ａの裏面側に当接して導通状態となるようになっている。即ち、遊技盤１２を遊技盤装着枠１３に装着した状態では、発射レール１７、外レール２１、及び内レール２２が、アウト口手段３１及び発射レール装着板６７を介して互いに導通した状態となる。
【００１９】
ガラス扉４は、図４に示すように、扉枠７１と、この扉枠７１の前面側に装着された合成樹脂製の扉カバー７２と、扉枠７１の裏側に固定された左右一対のガラス保持レール７３，７４と、このガラス保持レール７３，７４の下端部間で扉枠７１の裏側に固定されたガラス受けレール７５と、左右のガラス保持レール７３，７４間に上側から挿入された２枚のガラス板７６とを備えている。
【００２０】
扉枠７１は、板金材を折り曲げて構成した板金製であって、図４に示すように、上枠部７７と下枠部７８と左右一対の側枠部７９，８０とを板金材により一体に備え、その各枠部内が遊技盤１２の遊技領域２０に対応する開口部８１となっている。そして、この扉枠７１には、その重量を極力軽減しつつ、重量を軽減しつつ簡単な構造で容易に製作でき、十分な強度、剛性を確保できるように、開口孔８２、連結部８３、折り曲げリブ８４等が設けられている。
【００２１】
ガラス保持レール７３，７４及びガラス受けレール７５は板金材を折り曲げることによって形成されており、図６に示すように、２枚のガラス板７６に対応する２個の嵌合溝８５，８６と取り付け部８７とを一体に備えている。ガラス保持レール７３，７４は、取り付け部８７が扉枠７１の各側枠部７９，８０の裏側に上下方向に固着され、ガラス受けレール７５は、取り付け部８７が下枠部７８の裏側に左右方向に固着されている。
【００２２】
扉カバー７２は、扉枠７１を前側から覆うもので、合成樹脂材料により一体に成形されており、扉枠７１の裏面側から例えばネジ止め等により着脱自在に固定されている。扉カバー７２の内周には、扉枠７１の開口部８１に内側から嵌合する額縁部８８が一体に形成されている。額縁部８８は、扉枠７１が内側から見えないように覆っており、その後端はガラス板７６に近接する位置まで延設されている。
【００２３】
前面開閉扉５は、前枠２に開閉自在に枢着された板金製の開閉板９１を備えており、この開閉板９１の前側に、上皿７と上皿カバー８とが装着されている。また、開閉板９１の裏側には、打撃槌１９の動作と連動して上皿７内の遊技球を発射レール１７上に１個ずつ供給する図外の球送り手段と、発射レール１７の前側を覆うレールカバー部材９２と、導通部材（導通手段）９３とが装着されている。開閉板９１の上縁部には、ガラス扉４の扉枠７１の下枠部７８の下縁側折り曲げリブ８４が前側から嵌合する嵌合受け部９１ａが一体に形成されており、ガラス扉４を開いた状態でなければ前面開閉扉５を開くことができないようになっている。
【００２４】
レールカバー部材９２は、発射レール１７の前側に近接して配置される平板状のカバー板部９４と、このカバー板部９４の縁部の前側への延設部分であって、カバー板部９４を開閉板９１の後方側所定距離で支持する支持板部９５とを備えており、開閉板９１との間に略閉空間を形成している。
【００２５】
導通部材９３は、板金材を折り曲げることにより形成されており、開閉板９１の板面と平行な支持部９７と、この支持部９７の一端側から後向きに略直角に突設された突設部９８とを備えており、更にこの突設部９８の先端側には、突設部９８の面外方向に突出するように緩やかに屈曲する屈曲部９９が形成されている。導通部材９３は、開閉板９１から後向きに突設された取り付けボス部９６に支持部９７を例えばネジ止めにより固定することにより開閉板９１に対して着脱自在に装着されている。
【００２６】
取り付けボス部９６は、レールカバー部材９２の閉空間内において開閉板９１の裏面側に設けられており、導通部材９３は、屈曲部９９を含む突設部９７の先端側を、カバー板部９４に形成された通孔９４ａから後側に突出した状態で取り付けボス部９６に取り付けられている。また、導通部材９３は、外レール２１の上流側端部近傍の前側に、突設部９８がその後方の外レール２１と略平行になるように突設部９８を左右に傾斜させた状態で配置されており、前面開閉扉５を閉じたときに、屈曲部９９の凸面側が外レール２１の外面側に摺接するようになっている。なお、導通部材９３と開閉板９１とは、取り付けボス部９６を介して互いに導通している。
【００２７】
上記構成のパチンコ機において、遊技者が図外の自動球貸し機を操作すると、島側から供給されて遊技球タンク４５内に貯留されている遊技球が、タンクレール４６を経て払い出し手段４７により払い出され、通路ユニット４８を経て上皿７に排出される。上皿７内の遊技球は、発射手段１５側に順次流下し、その下流側において横一列状に整列する。遊技者が発射ハンドル１６を操作すると、発射モータ１８により打撃槌１９が作動すると共に、これと連動して図外の球送り手段により上皿７内の遊技球が発射レール１７上に１個ずつ供給され、これによって遊技球が遊技盤１２側に順次発射される。
【００２８】
発射された遊技球は、発射レール１７、外レール２１を経て遊技領域２０の上部に導かれる。その際、遊技球は、発射レール１７と接触したときにアウト口手段３１、外レール２１、導通部材９３を経て前面開閉扉５の開閉板９１に導通し、また外レール２１と接触したときに導通部材９３を経て前面開閉扉５の開閉板９１に導通するため、例えば島設備内や遊技機内で他の遊技球や通路壁等と擦れ合うことによって遊技球に生じていた電荷は、前面開閉扉５側に流れてここから大気に放電されることにより除去される。
【００２９】
遊技領域２０内に案内された遊技球は、遊技釘等に衝突しながら遊技盤１２に沿って落下する間に普通入賞手段２７等に入賞し、或いは入賞しない遊技球は内レール２２に案内されてアウト口３０に入り、共に遊技盤１２の裏側に案内されて裏カバー３２の下部で集められ、裏機構板４１側の回収通路を経て島側に回収される。
【００３０】
遊技球が遊技領域２０内で内レール２２に接触すると、その遊技球はアウト口手段３１、外レール２１、導通部材９３を経て前面開閉扉５の開閉板９１に導通するため、例えば遊技盤１２の表面や各遊技部品等と擦れ合うことによって遊技球に生じていた電荷は、前面開閉扉５側に流れてここから大気に放電されることにより除去される。遊技球が入賞すると、払い出し制御基板５０の制御により払い出し手段４７が動作し、その入賞に応じた所定数の遊技球が上皿７に払い出される。
【００３１】
以上説明したように、本実施の形態によれば、前面開閉扉５を閉じると、図８に示すように、導通部材９３の屈曲部９９の凸面側が外レール２１の外面側に摺接し、且つ突設部９８の弾性力によって押し付けられた状態となり、外レール２１は、導通部材９３、取り付けボス部９６を介して前面開閉扉５の開閉板９１に導通する。また、外レール２１は、アウト口手段３１を介して内レール２２及び発射レール１７とそれぞれ予め導通した状態にある。即ち、前面開閉扉５を閉じた状態では、外レール２１、内レール２２、及び発射レール１７が、導通部材９３を介して前面開閉扉５の開閉板９１に導通することになる。これにより、帯電した遊技球が発射レール１７、外レール２１、或いは内レール２２に接すると、その遊技球の電荷は導通部材９３を介して表面積の大きい前面開閉扉５の開閉板９１に流れ、この開閉板９１の板面から緩やかに大気中に放電されるため、帯電した遊技球から発せられるノイズが主制御基板３３等の制御基板に悪影響を及ぼす不具合を防止できる。
【００３２】
また、導通部材９３を介して直接前面開閉扉５側と導通する外レール２１に対して、更に内レール２２及び発射レール１７を導通させているため、例えば島側設備内や遊技機内において発射前の遊技球に生じた電荷は発射レール１７や外レール２１上で、発射後の例えば遊技領域２０内で遊技球に生じた静電気は内レール２２上で、それぞれ除去することが可能であり、ノイズ発生による制御基板への悪影響をより確実に防止できる。
【００３３】
更に、導通部材９３を、外レール２１に対して、遊技球の転動部分を避けた外面側に当接させているため、導通部材９３が障害となって遊技球の経路に影響を与える不具合を防止できる。
【００３４】
なお、更に前面開閉扉５の開閉板９１にグランド線を接続してもよい。この場合、帯電した遊技球が発射レール１７、外レール２１、或いは内レール２２に接触すると、開閉板９１の板面から大気放電する場合と比べて極めて短時間で電位が低下することになる。
【００３５】
また、上記第１の実施形態では、導通部材９３を外レール２１に接続するように構成したが、導通部材９３を、例えば内レール２２、或いは発射レール１７に接続するようにしても、同様の効果を得ることができる。
【００３６】
図９は、本発明の第２の実施形態を例示し、導通部材（導通手段）１０１を外レール２１側に設けた例を示している。導通部材１０１は、板金材を折り曲げることにより形成されており、外レール２１の外面側に固着される支持部１０２と、その支持部１０２の端部から外レール２１の面外方向で且つ斜め前向きに突設された当接部１０３とを一体に備えている。
【００３７】
また前面開閉扉５の開閉板９１には、導通部材１０１に対応して、例えば金属製の突設部材１０４が後向きに突設されており、その先端部１０４ａはカバー板部９４の通孔９４ａから後方に突出している。その他の構成は第１の実施形態と同様である。
【００３８】
前面開閉扉５を閉じると、図９に示すように、導通部材１０１の当接部１０３が突接部材１０４の先端部１０４ａに押し付けられ、外レール２１は、導通部材１０１、突接部材１０４を介して前面開閉扉５の開閉板９１に導通する。このように、導通部材１０１を外レール２１側に設けても、第１の実施形態と同様の効果を得ることが可能である。
【００３９】
なお、上記第２の実施形態では、導通部材１０１を外レール２１に設けた例を示したが、導通部材１０１を、内レール２２、或いは発射レール１７に設けても同様の効果を得ることができる。
【００４０】
図１０及び図１１は、本発明の第３の実施形態を例示し、外レール２１と発射レール１７とをそれぞれ導通部材（導通手段）９３，１１０により個別に前面開閉扉５の開閉板９１に導通させ、更に内レール２２を、アウト口手段３１′を介して発射レール１７に導通させた例を示している。
【００４１】
導通部材９３は、第１の実施形態と同様、取り付けボス部９６を介して前面開閉扉５の開閉板９１に装着されており、その先端部分をカバー部材９４の通孔９４ａから後側に突出させている。また、導通部材１１０も、図１１に示すように、前面開閉扉５の開閉板９１から後方に突設された取り付けボス部１１１に装着されており、その先端部１１０ａをカバー部材９４の通孔９４ｂから後側に突出させている。
【００４２】
アウト口手段３１′は、第１の実施形態におけるアウト口手段３１と略同様に構成されており、唯一異なるのは、アウト口３０近傍から遊技盤１２の下端部への延設部分が発射レール１７側に偏位して設けられており、外レール２１とは導通していない点である。
【００４３】
前面開閉扉５を閉じると、図１１に示すように、導通部材９３の屈曲部９９が外レール２１の外面側に、導通部材１１０の先端部１１０ａが発射レール１７の側面に、それぞれ押し付けられ、外レール２１は導通部材９３及び取り付けボス部９６を介して、発射レール１７は導通部材１１０及び取り付けボス部１１１を介して、それぞれ前面開閉扉５の開閉板９１に導通する。また、内レール２２は、アウト口手段３１′を介して予め発射レール１７に導通した状態にある。このように、外レール２１と発射レール１７とをそれぞれ導通部材９３，１１０により個別に前面開閉扉５の開閉板９１に導通させ、更に内レール２２を、アウト口手段３１′を介して発射レール１７に導通させても、前面開閉扉５を閉じた状態で外レール２１、内レール２２、及び発射レール１７の全てを前面開閉扉５の開閉板９１に導通させることができ、第１，第２の実施形態と同様の効果を得ることが可能である。
【００４４】
なお、これと同様に、例えば外レール２１と内レール２２とを個別の導通部材によりそれぞれ前面開閉扉５の開閉板９１に導通させ、更に発射レール１７を外レール２１若しくは内レール２２に導通させてもよいし、発射レール１７と内レール２２とを個別の導通部材によりそれぞれ前面開閉扉５の開閉板９１に導通させ、更に外レール２１を発射レール１７若しくは内レール２２に導通させてもよい。或いは、発射レール１７、外レール２１，内レール２２を個別の導通部材によりそれぞれ前面開閉扉５の開閉板９１に導通させてもよい。
【００４５】
図１２及び図１３は、本発明の第４の実施形態を例示し、外レール２１に当接する導通部材９３を、ガラス扉（開閉部材の一例）４のガラス受けレール７５に設け、外レール２１を導通部材９３、ガラス受けレール７５を介してガラス扉４の扉枠７１に導通させた例を示している。その他の構成は第１の実施形態と同様である。
【００４６】
導通部材９３は、ガラス受けレール７５の裏側で且つ外レール２１と交差する部分に、突設部９８がその後方の外レール２１と略平行になるように突設部９８を左右に傾斜させた状態で支持部９７をガラス受けレール７５の裏側に固着して配置されており、ガラス扉４を閉じたときに、屈曲部９９の凸面側が外レール２１の外面側に摺接するようになっている。
【００４７】
ガラス扉４を閉じると、図１３に示すように、導通部材９３の屈曲部９９が外レール２１の外面側に摺接し、更に突設部９８の弾性力によって押し付けられた状態となり、外レール２１は、導通部材９３、ガラス受けレール７５を介して扉枠７１に導通される。また、外レール２１は、アウト口手段３１を介して内レール２２及び発射レール１７とそれぞれ予め導通された状態にある。即ち、ガラス扉４を閉じた状態では、外レール２１、内レール２２、及び発射レール１７が、導通部材９３を介してガラス扉４の扉枠７１に導通することになる。これにより、帯電した遊技球が発射レール１７、外レール、或いは内レールに接すると、その遊技球の電荷は導通部材９３を介して表面積の大きいガラス扉４の扉枠７１に流れ、ここから例えば緩やかに大気中に放電されるため、帯電した遊技球から生じるノイズが主制御基板３３等の制御基板に悪影響を及ぼす不具合を防止できる。
【００４８】
なお、この第４の実施形態は、開閉部材の例として前面開閉扉５ではなくガラス扉４を用いた点、即ち、導通部材９３を、前面開閉扉５の開閉板９１ではなくガラス扉４の扉枠７１側に設けた点以外は第１の実施形態と同様である。これと同様に、第２、第３の実施形態やそれらの変形例についても、開閉部材の例として前面開閉扉５ではなくガラス扉４を用いた構成とすることが可能である。例えば、第２の実施形態を変形し、導通部材１０１を外レール２１側に設けて導通部材１０１の当接部１０３をガラス受けレール７５に当接させるように構成したり、或いは第３の実施形態を変形し、外レール２１と発射レール１７とをそれぞれ導通部材９３，１１０により個別にガラス扉４の扉枠７１に導通させ、更に内レール２２を、アウト口手段３１′を介して発射レール１７に導通させることも可能である。
【００４９】
図１４及び図１５は、本発明の第５の実施形態を例示し、第１の実施形態と同様の構成をアレンジボール機で実現した例を示している。アレンジボール機における遊技領域２０内の下部には、入賞口手段１２１が配置されている。入賞口手段１２１は、遊技盤１２の開口部１２２に裏側から着脱自在に装着された入賞ケース１２３と、この入賞ケース１２３に横一列状等に形成され且つ前側から入賞した遊技球を遊技盤１２の裏側へと誘導する複数個、例えば１６個の入賞口１２４と、各入賞口１２４に入賞した遊技球を検出する複数個、例えば１６個の入賞検出スイッチ１２５とを備え、遊技盤１２に沿って落下する遊技球が何れかの入賞口１２４に入賞して、入賞検出スイッチ１２５がその遊技球を検出するようになっている。
【００５０】
また、入賞口手段１２１の前側には、入賞ケース１２３等を前側から覆う入賞口カバー１２６が設けられている。この入賞口カバー１２６は、その下部側が内レール２２の内面側に沿って設けられた略半月状に形成されており、その前側には、各入賞口１２４に対応して１６個の表示部１２７が横一列状に設けられている。各表示部１２７は、遊技球が何れかの入賞口１２４に入賞したとき、それに対応する発光ランプ１２８が点灯するなどしてその入賞を表示するようになっている。
【００５１】
遊技盤１２の下部表面には、内レール２２の下側から遊技盤１２の下端部にわたって金属製の導通板１３１が面一状に装着されている。導通板１３１の上縁部は内レール２２と導通しており、また導通板１３１の下部前側には外レール２１の上流側端部が配置され、導通板１３１と外レール２１とも互いに導通している。また、遊技盤１２を遊技盤装着枠１３に装着したとき、導通板１３１の前側に発射レール装着板６７の上端部６７ａが当接し、導通板１３１と発射レール１７とが導通するようになっている。即ち、遊技盤１２を遊技盤装着枠１３に装着した状態では、発射レール１７、外レール２１、及び内レール２２が導通板１３１を介して互いに導通した状態になるようになっている。
【００５２】
また、導通部材９３は、第１の実施形態と同様、取り付けボス部９６を介して前面開閉扉５の開閉板９１の裏側に装着されており、前面開閉扉５を閉じたとき、導通部材９３の屈曲部９９が外レール２１の外面側に摺接し、外レール２１が、導通部材９３及び取り付けボス部９６を介して前面開閉扉５の開閉板９１に導通するようになっている。このように、アレンジボール機においても、アウト口手段３２に代えて例えば導通板１３１を設け、発射レール１７、外レール２１、及び内レール２２を導通させることにより、第１の実施形態と同様の効果を得ることが可能である。また、上述したその他の実施形態やその変形例についても、同様の変更によりアレンジボール機に適用することが可能である。
【００５３】
以上、本発明の各実施形態について詳述したが、各実施形態に限定されるものではなく、本発明の趣旨を逸脱しない範囲内で種々の変更が可能である。例えば、実施形態では、発射レール１７、外レール２１、及び内レール２２の全てを、何らかの形で前面開閉扉５の開閉板９１、或いはガラス扉４の扉枠７１に導通させるように構成したが、例えばそれらのうちの１又は２つのみを前面開閉扉５の開閉板９１等に導通させるようにしてもよい。例えば、第１の実施形態においては、アウト口手段３１によって発射レール１７、外レール２１、及び内レール２２を導通させたが、これらを導通させず、外レール２１のみを導通部材９３によって前面開閉扉５の開閉板９１に導通させるようにしてもよい。
【００５４】
また、導通部材９３等の導通手段は、外レール２１の外面側、発射レール１７の側面側等に当接或いは装着するものに限らず、例えば外レール２１、内レール２２の前縁側や発射レール１７の下面側に当接或いは装着するようにしてもよい。また、導通部材９３等の導通手段は、外レール２１等に直接当接或いは装着して導通させるものに限らず、外レール２１等に導通した他の部材、例えばアウト口手段３１に当接或いは装着するように構成し、間接的に導通させるようにしてもよい。
【００５５】
また、遊技盤１２の表面側と装飾シートとの間や、遊技盤１２の裏面側等に例えばシート状の導電性部材を貼着し、この導電性部材を介して発射レール１７、外レール２１、内レール２２の何れか２つ以上を導通させたり、更にそれらと導通部材９３等とを導通させてもよい。この場合、装飾シートを導電性樹脂等で形成してもよい。
【００５６】
また、大入賞手段２５等の入賞手段を発射レール１７、外レール２１、内レール２２の少なくとも１つに導通させ、導通部材９３等を介して前面開閉扉５やガラス扉４に導通させてもよい。
【００５７】
発射レール１７、外レール２１、及び内レール２２の何れか、例えば発射レール１７を前面開閉扉５の開閉板９１に導通させ、他の何れか、例えば外レール２１と内レール２２とをガラス扉４の扉枠７１に導通させるようにしてもよい。また、前面開閉扉５とガラス扉４を閉じたときに、前面開閉扉５の開閉板９１とガラス扉４の扉枠７１とが導通するように構成することも可能である。更に、前面開閉扉５の上皿カバー８や、ガラス扉４の扉カバー７２を導電性樹脂により構成し、開閉板９１、扉枠７１に導通させることも可能である。
【００５８】
更に、実施形態では弾球遊技機としてパチンコ機とアレンジボール機を例に挙げて説明したが、雀球遊技機、その他の弾球遊技機であっても同様に実施可能であることは言うまでもない。
【００５９】
【発明の効果】
本発明によれば、前枠２に設けられた遊技盤１２と、発射された遊技球を遊技盤１２側に向けて案内する発射レール１７と、該発射レール１７により遊技盤１２側に案内された遊技球を遊技盤１２の遊技領域２０の上部側に案内する外レール２１と、該外レール２１に案内されて遊技領域２０内に入った遊技球を遊技領域２０の下部側へと案内する内レール２２と、前枠２の前側に開閉自在に装着された開閉部材４，５とを備えた弾球遊技機において、遊技盤１２の表面に面一状に装着され且つ遊技領域２０の最下部に配置されるアウト口３０が設けられた金属製薄板よりなるアウト口手段３１を備え、該アウト口手段３１により外レール２１と内レール２２とを導通させると共に、外レール２１と内レール２２との一方を、導通手段９３，１０１，１１０を介して開閉部材４，５に導通させているため、遊技球に生じた電荷を効率よく逃がし、ノイズによる制御基板への悪影響を防止できる。
【図面の簡単な説明】
【図１】本発明の第１の実施形態を示すパチンコ機の斜視図である。
【図２】本発明の第１の実施形態を示すパチンコ機の前面開閉扉を取り外した状態での正面図である。
【図３】本発明の第１の実施形態を示すパチンコ機の背面図である。
【図４】本発明の第１の実施形態を示すパチンコ機のガラス扉の背面図である。
【図５】本発明の第１の実施形態を示すパチンコ機の遊技盤の下部近傍の拡大図である。
【図６】本発明の第１の実施形態を示すパチンコ機の縦断面図である。
【図７】本発明の第１の実施形態を示すパチンコ機の横断面図である。
【図８】本発明の第１の実施形態における前面開閉扉を閉じる際の導通部材と外レールとの接続動作を示す説明図である。
【図９】本発明の第２の実施形態を示すパチンコ機の縦断面図である。
【図１０】本発明の第３の実施形態を示すパチンコ機の遊技盤の下部近傍の拡大図である。
【図１１】本発明の第３の実施形態を示すパチンコ機の縦断面図である。
【図１２】本発明の第４の実施形態を示すパチンコ機の遊技盤の下部近傍の拡大図である。
【図１３】本発明の第４の実施形態を示すパチンコ機の縦断面図である。
【図１４】本発明の第５の実施形態を示すアレンジボール機の遊技盤の下部近傍の拡大図である。
【図１５】本発明の第５の実施形態を示すアレンジボール機の縦断面図である。
【符号の説明】
２    前枠
４    ガラス扉（開閉部材の一例）
５    前面開閉扉（開閉部材の一例）
１２    遊技盤
１７    発射レール
２０    遊技領域
２１    外レール
２２    内レール
９３    導通部材（導通手段）
１０１    導通部材（導通手段）
１１０    導通部材（導通手段）
【図１】
0003645186.tif 000002
【図２】
0003645186.tif 000003
【図３】
0003645186.tif 000004
【図４】
0003645186.tif 000005
【図５】
0003645186.tif 000006
【図６】
0003645186.tif 000007
【図７】
0003645186.tif 000008
【図８】
0003645186.tif 000009
【図９】
0003645186.tif 000010
【図１０】
0003645186.tif 000011
【図１１】
0003645186.tif 000012
【図１２】
0003645186.tif 000013
【図１３】
0003645186.tif 000014
【図１４】
0003645186.tif 000015
【図１５】
0003645186.tif 000016